(57)【特許請求の範囲】
【請求項１】
無線通信装置から複数の無線ネットワークのいずれかを経由した接続要求を受信した場合に前記無線通信装置と画像処理装置との間の通信接続を確立させる第１通信処理部と、
前記画像処理装置を経由した通信機器との間の接続要求を前記無線通信装置から受信した場合に、前記複数の無線ネットワークのうち前記無線通信装置が使用している無線ネットワークに応じて前記無線通信装置と前記通信機器との間の通信接続の確立の許否を判断する第２通信処理部と、
前記無線通信装置における前記複数の無線ネットワークのうちの少なくとも１つの特定ネットワークへの接続権限の有無を判断する判断処理部と、
少なくとも二つ以上の前記無線ネットワークが前記特定ネットワークとして設定可能であり、前記無線通信装置から前記画像処理装置の設定情報を記憶する記憶部へのアクセス要求を受信した場合に、前記無線通信装置が使用している前記特定ネットワークのうちの一つに応じて前記無線通信装置による前記記憶部へのアクセスの許否を判断するアクセス処理部と、
を備え、
前記第１通信処理部が、前記無線通信装置から前記特定ネットワークのうちの一つを経由した接続要求を受信した場合に、前記判断処理部による判断結果に応じて前記無線通信装置と前記画像処理装置との間の通信接続の確立の許否を判断し、
前記第２通信処理部が、前記複数の無線ネットワークのうち前記無線通信装置が使用している前記無線ネットワークが前記特定ネットワークのうちの一つである場合に、前記無線通信装置と前記通信機器との間の通信接続の確立を許可し、
前記判断処理部が、前記無線通信装置における前記特定ネットワークごとの接続権限の有無を判断する画像処理装置。
【請求項２】
無線通信装置から複数の無線ネットワークのいずれかを経由した接続要求を受信した場合に前記無線通信装置と画像処理装置との間の通信接続を確立させる第１通信処理部と、
前記画像処理装置を経由した通信機器との間の接続要求を前記無線通信装置から受信した場合に、前記複数の無線ネットワークのうち前記無線通信装置が使用している無線ネットワークに応じて前記無線通信装置と前記通信機器との間の通信接続の確立の許否を判断する第２通信処理部と、
前記無線通信装置から予め定められた特定ジョブの実行指示を受信した場合に、前記複数の無線ネットワークのうち前記無線通信装置が使用している前記無線ネットワークに応じて前記特定ジョブの実行の可否を判断する実行処理部と、
を備える画像処理装置。
【請求項３】
原稿から画像データを読み取り可能な画像読取部、及び画像データに基づいて画像を形成可能な画像形成部のいずれか一方又は両方を備える請求項１に記載の画像処理装置。
【請求項４】
原稿から画像データを読み取り可能な画像読取部、及び画像データに基づいて画像を形成可能な画像形成部のいずれか一方又は両方を備える請求項２に記載の画像処理装置。
【請求項５】
画像処理装置が、無線通信装置から複数の無線ネットワークのいずれかを経由した接続要求を受信した場合に前記無線通信装置と前記画像処理装置との間の通信接続を確立させる第１ステップと、
前記画像処理装置が、前記画像処理装置を経由した通信機器との間の接続要求を前記無線通信装置から受信した場合に、前記複数の無線ネットワークのうち前記無線通信装置が使用している無線ネットワークに応じて前記無線通信装置と前記通信機器との間の通信接続の確立の許否を判断する第２ステップと、
前記画像処理装置が、前記無線通信装置における前記複数の無線ネットワークのうちの少なくとも１つの特定ネットワークへの接続権限の有無を判断する第３ステップと、
前記画像処理装置が、少なくとも二つ以上の前記無線ネットワークが前記特定ネットワークとして設定可能であり、前記無線通信装置から前記画像処理装置の設定情報を記憶する記憶部へのアクセス要求を受信した場合に、前記無線通信装置が使用している前記特定ネットワークのうちの一つに応じて前記無線通信装置による前記記憶部へのアクセスの許否を判断する第４ステップと、
を含み、
前記第１ステップでは、前記無線通信装置から前記特定ネットワークのうちの一つを経由した接続要求を受信した場合に、前記第３ステップによる判断結果に応じて前記無線通信装置と前記画像処理装置との間の通信接続の確立の許否が判断され、
前記第２ステップでは、前記複数の無線ネットワークのうち前記無線通信装置が使用している前記無線ネットワークが前記特定ネットワークのうちの一つである場合に、前記無線通信装置と前記通信機器との間の通信接続の確立が許可され、
前記第３ステップでは、前記無線通信装置における前記特定ネットワークごとの接続権限の有無が判断される通信方法。
【請求項６】
画像処理装置が、無線通信装置から複数の無線ネットワークのいずれかを経由した接続要求を受信した場合に前記無線通信装置と前記画像処理装置との間の通信接続を確立させる第１ステップと、
前記画像処理装置が、前記画像処理装置を経由した通信機器との間の接続要求を前記無線通信装置から受信した場合に、前記複数の無線ネットワークのうち前記無線通信装置が使用している無線ネットワークに応じて前記無線通信装置と前記通信機器との間の通信接続の確立の許否を判断する第２ステップと、
前記画像処理装置が、前記無線通信装置から予め定められた特定ジョブの実行指示を受信した場合に、前記複数の無線ネットワークのうち前記無線通信装置が使用している前記無線ネットワークに応じて前記特定ジョブの実行の可否を判断する第３ステップと、
を含む通信方法。
【発明の詳細な説明】
【技術分野】
【０００１】
本発明は、無線通信を行うことが可能な画像処理装置、及び通信方法に関する。
【背景技術】
【０００２】
一般に、無線通信を行うことが可能なプリンターのような画像処理装置が知られている。この種の画像処理装置は、タブレット端末などの無線通信装置との間で無線によるデータ通信を行うことが可能である。また、この種の画像処理装置は、例えばＬＡＮ（Ｌｏｃａｌ  Ａｒｅａ  Ｎｅｔｗｏｒｋ）などのネットワークに接続されることがある（例えば、特許文献１参照）。
【先行技術文献】
【特許文献】
【０００３】
【特許文献１】特開２００７−３１２０８８号公報
【発明の概要】
【発明が解決しようとする課題】
【０００４】
ところで、画像処理装置との間で通信可能な無線通信装置は、画像処理装置を経由して前記画像処理装置に接続されたネットワークにアクセスできることがある。この場合、無線通信装置は、前記ネットワークに接続されたサーバーなどの通信機器との間でデータ通信を行うことが可能である。一方、画像処理装置との間で通信可能なすべての無線通信装置に対して前記画像処理装置に接続されたネットワークへのアクセスを許容することは、前記ネットワークのセキュリティー上問題がある場合がある。【０００５】
本発明の目的は、画像処理装置に接続されるネットワークのセキュリティーを維持すると共に、画像処理装置との間で無線通信を行う無線通信装置の利便性を向上可能な画像処理装置及び通信方法を提供することにある。
【課題を解決するための手段】
【０００６】
本発明の一の局面に係る画像処理装置は、第１通信処理部と、第２通信処理部とを備える。前記第１通信処理部は、無線通信装置から複数の無線ネットワークのいずれかを経由した接続要求を受信した場合に前記無線通信装置と前記画像処理装置との間の通信接続を確立させる。前記第２通信処理部は、前記画像処理装置を経由した通信機器との間の接続要求を前記無線通信装置から受信した場合に、前記複数の無線ネットワークのうち前記無線通信装置が使用している無線ネットワークに応じて前記無線通信装置と前記通信機器との間の通信接続の確立の許否を判断する。【０００７】
本発明の他の局面に係る通信方法は、以下の第１ステップ及び第２ステップを備える。前記第１ステップは、無線通信装置から複数の無線ネットワークのいずれかを経由した接続要求を受信した場合に前記無線通信装置と画像処理装置との間の通信接続を確立させる。前記第２ステップは、前記画像処理装置を経由した通信機器との間の接続要求を前記無線通信装置から受信した場合に、前記複数の無線ネットワークのうち前記無線通信装置が使用している無線ネットワークに応じて前記無線通信装置と前記通信機器との間の通信接続の確立の許否を判断する。
【発明の効果】
【０００８】
本発明によれば、画像処理装置に接続されるネットワークのセキュリティーを維持すると共に、画像処理装置との間で無線通信を行う無線通信装置の利便性を向上可能な画像処理装置及び通信方法が実現される。
【図面の簡単な説明】
【０００９】
【図１】図１は、本発明の実施形態に係る画像処理装置を含む通信システムの構成を示すブロック図である。
【図２】図２は、本発明の実施形態に係る画像処理装置の構成を示す図である。
【図３】図３は、本発明の実施形態に係る画像処理装置で行われる第１通信処理の一例を示すフローチャートである。
【図４】図４は、本発明の実施形態に係る画像処理装置で行われる第２通信処理の一例を示すフローチャートである。
【図５】図５は、本発明の実施形態に係る画像処理装置で行われるアクセス許可処理の一例を示すフローチャートである。
【図６】図６は、本発明の実施形態に係る画像処理装置で行われるジョブ実行処理の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［通信システム１００］
本発明の実施形態に係る画像処理装置１０を含む通信システム１００は、図１に示すように、画像処理装置１０と、一又は複数の無線通信装置２０と、通信機器４０とを備える。無線通信装置２０は、スマートフォンなどの情報処理装置である。通信機器４０は、サーバーなどの情報処理装置である。画像処理装置１０及び通信機器４０は、ＬＡＮなどの通信ネットワーク３０を介して通信可能に接続されている。
【００１２】
画像処理装置１０は、無線通信装置２０との間で無線によるデータ通信を行うことが可能である。また、画像処理装置１０は、通信ネットワーク３０を介して通信機器４０との間でデータ通信を行うことが可能である。
【００１３】
［画像処理装置１０の概略構成］
以下、図１及び図２を参照しつつ、本発明の実施形態に係る画像処理装置１０の概略構成について説明する。ここで、図２は画像処理装置１０の構成を示す断面模式図である。
【００１４】
図１及び図２に示すように、画像処理装置１０は、ＡＤＦ１、画像読取部２、画像形成部３、給紙部４、制御部５、操作表示部６、通信部７、及び記憶部８を備える。画像処理装置１０は、原稿から画像データを読み取るスキャン機能、及び画像データに基づいて画像を形成するプリント機能と共に、ファクシミリ機能、又はコピー機能などの複数の機能を有する複合機である。また、本発明は、スキャナー装置、プリンター装置、ファクシミリ装置、及びコピー機などの画像処理装置に適用可能である。
【００１５】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１６】
画像形成部３は、画像読取部２で読み取られた画像データ又は無線通信装置２０などの外部の情報処理装置から入力された画像データに基づいて、電子写真方式で画像を形成可能である。具体的には、画像形成部３は、感光体ドラム、帯電装置、光走査装置（ＬＳＵ）、現像装置、転写ローラー、クリーニング装置、定着ローラー、加圧ローラー、及び排紙トレイを備える。そして、画像形成部３は、給紙部４から供給されるシートに画像を形成し、画像形成後の前記シートを前記排紙トレイに排出する。
【００１７】
制御部５は、不図示のＣＰＵ、ＲＯＭ、及びＲＡＭなどの制御機器を備える。前記ＣＰＵは、各種の演算処理を行うプロセッサーである。前記ＲＯＭは、前記ＣＰＵに各種の処理を行わせるための制御プログラムなどの情報が予め記憶される不揮発性の記憶部である。前記ＲＡＭは、前記ＣＰＵが行う各種の処理の一時記憶メモリー（作業領域）として使用される揮発性の記憶部である。制御部５では、前記ＣＰＵにより前記ＲＯＭに予め記憶された各種の制御プログラムに従った処理が行われる。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１８】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１９】
通信部７は、外部の通信機器との間でデータ通信を行うことが可能な通信インターフェイスである。具体的には、通信部７は、図１に示すように、無線通信部７１及び有線通信部７２を備える。
【００２０】
無線通信部７１は、無線通信装置２０との間で無線によるデータ通信を行うことが可能である。例えば、無線通信部７１は、無線通信装置２０との間でＷｉ―Ｆｉダイレクト（登録商標）などの無線ＬＡＮの通信規格に従った無線通信を行う。
【００２１】
有線通信部７２は、画像処理装置１０に有線接続された通信ネットワーク３０を経由して、通信ネットワーク３０に接続される通信機器４０との間でデータ通信を行うことが可能である。
【００２２】
記憶部８は、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）などの記憶装置である。なお、制御部５にＥＥＰＲＯＭ（登録商標、Ｅｌｅｃｔｒｉｃａｌｌｙ  Ｅｒａｓａｂｌｅ  ａｎｄ  Ｐｒｏｇｒａｍｍａｂｌｅ  Ｒｅａｄ−Ｏｎｌｙ  Ｍｅｍｏｒｙ）などの不揮発性メモリーが設けられており、記憶部８が省略されることも考えられる。
【００２３】
ところで、画像処理装置１０との間で通信可能な無線通信装置２０は、画像処理装置１０を経由して画像処理装置１０に接続された通信ネットワーク３０にアクセスできることがある。この場合、無線通信装置２０は、通信ネットワーク３０に接続された通信機器４０との間でデータ通信を行うことが可能である。一方、画像処理装置１０との間で通信可能なすべての無線通信装置２０に対して画像処理装置１０に接続された通信ネットワーク３０へのアクセスを許容することは、通信ネットワーク３０のセキュリティー上問題がある場合がある。これに対し、本発明の実施形態に係る画像処理装置１０は、画像処理装置１０に接続される通信ネットワーク３０のセキュリティーを維持すると共に、画像処理装置１０との間で無線通信を行う無線通信装置２０の利便性を向上させることが可能である。
【００２４】
具体的には、画像処理装置１０では、無線通信部７１が複数の無線ネットワークを使用して無線通信装置２０との間で通信を行うことが可能である。ここで、無線通信部７１が無線ＬＡＮの通信規格に従った無線通信を行う場合には、前記複数の無線ネットワーク各々はＳＳＩＤ（Service-Set-Identifier）により識別される。
【００２５】
例えば、画像処理装置１０では、無線通信部７１が、前記複数の無線ネットワークとして、第１のＳＳＩＤ、第２のＳＳＩＤ、及び第３のＳＳＩＤで識別される３つの無線ネットワークを使用して、無線通信装置２０との間で通信接続を確立することが可能である。なお、無線通信部７１が使用可能な前記複数の無線ネットワークの数は、２つであってもよいし、４つ以上であってもよい。
【００２６】
一方、制御部５の前記ＲＯＭには、前記ＣＰＵに後述の第１通信処理（図３のフローチャート参照）、第２通信処理（図４のフローチャート参照）、アクセス許可処理（図５のフローチャート参照）、及びジョブ実行処理（図６のフローチャート参照）を行わせるための通信処理プログラムが予め記憶されている。なお、前記通信処理プログラムは、ＣＤ、ＤＶＤ、フラッシュメモリーなどのコンピューター読み取り可能な記録媒体に記録されており、前記記録媒体から読み取られて記憶部８にインストールされるものであってもよい。
【００２７】
そして、制御部５は、図１に示すように、待受処理部５１、判断処理部５２、第１通信処理部５３、第２通信処理部５４、アクセス処理部５５、及び実行処理部５６を含む。具体的には、制御部５は、前記ＣＰＵを使用して前記ＲＯＭに記憶されている前記通信処理プログラムを行うことにより、待受処理部５１、判断処理部５２、第１通信処理部５３、第２通信処理部５４、アクセス処理部５５、及び実行処理部５６として機能する。
【００２８】
待受処理部５１は、無線通信装置２０からの前記複数の無線ネットワークのいずれかを経由した画像処理装置１０への接続要求を待ち受ける。
【００２９】
例えば、待受処理部５１は、前記第１のＳＳＩＤ、前記第２のＳＳＩＤ、及び前記第３のＳＳＩＤに対応する複数のビーコン信号を無線通信部７１に発信させて、無線通信装置２０からの複数のＳＳＩＤのいずれかを指定した接続要求の受信を待ち受ける。なお、待受処理部５１は、前記複数のビーコン信号のいずれか一つ又は複数を発信させずに、無線通信装置２０からの接続要求の受信を待ち受けてもよい。例えば、待受処理部５１が、前記複数のビーコン信号のうち、後述する少なくとも一つの特定ネットワークに対応するビーコン信号を発信しないことが考えられる。
【００３０】
判断処理部５２は、無線通信装置２０における前記複数の無線ネットワークのうちの特定ネットワークへの接続権限の有無を判断する。
【００３１】
例えば、画像処理装置１０では、前記第１のＳＳＩＤ、及び前記第２のＳＳＩＤで識別される二つの無線ネットワークがそれぞれ前記特定ネットワークとして設定されている。ここで、判断処理部５２は、無線通信装置２０における前記特定ネットワークのそれぞれの接続権限の有無を判断する。なお、前記特定ネットワークとして設定される前記二つの無線ネットワークは一つであってもよく、三つ以上であってもよい。
【００３２】
具体的には、判断処理部５２は、無線通信装置２０のユーザーにより入力されるパスワードの送信指示を無線通信装置２０に送信する。そして、判断処理部５２は、前記パスワードの送信指示に応じて無線通信装置２０から送信される前記パスワードが前記特定ネットワーク各々について予め設定された登録パスワードと一致する場合に、無線通信装置２０において前記特定ネットワークへの接続権限があると判断する。
【００３３】
なお、判断処理部５２は、無線通信装置２０から送信されるＭＡＣアドレスなどの装置識別情報が、予め前記特定ネットワークごとに登録された前記装置識別情報と一致する場合に、無線通信装置２０において前記特定ネットワークへの接続権限があると判断してもよい。
【００３４】
第１通信処理部５３は、無線通信装置２０から前記複数の無線ネットワークのいずれかを経由した接続要求を受信した場合に、無線通信装置２０と画像処理装置１０との間の通信接続を確立させる。
【００３５】
ここで、第１通信処理部５３は、無線通信装置２０から前記特定ネットワークを経由した接続要求を受信した場合に、判断処理部５２による判断結果に応じて、無線通信装置２０と画像処理装置１０との間の通信接続の確立の許否を判断する。即ち、第１通信処理部５３は、判断処理部５２により前記特定ネットワークへの接続権限がないと判断された無線通信装置２０については、画像処理装置１０との間の通信接続を確立させない。例えば、第１通信処理部５３は、判断処理部５２により前記特定ネットワークへの接続権限がないと判断された無線通信装置２０に対して、前記特定ネットワークへの接続権限がない旨を通知する。
【００３６】
第２通信処理部５４は、画像処理装置１０を経由した通信機器４０との間の接続要求を無線通信装置２０から受信した場合に、無線通信装置２０が使用している前記無線ネットワークに応じて無線通信装置２０と通信機器４０との間の通信接続の確立の許否を判断する。
【００３７】
具体的には、第２通信処理部５４は、無線通信装置２０が使用している前記無線ネットワークが前記特定ネットワークである場合に、無線通信装置２０と通信機器４０との間の通信接続の確立を許可する。例えば、第２通信処理部５４は、有線通信部７２を使用して無線通信装置２０から送信されるパケットデータを通信機器４０に転送する。
【００３８】
一方、第２通信処理部５４は、無線通信装置２０が使用している前記無線ネットワークが前記特定ネットワークでない場合に、無線通信装置２０と通信機器４０との間の通信接続の確立を許可しない。例えば、第２通信処理部５４は、通信ネットワーク３０にアクセスする権限がない旨を無線通信装置２０に通知する。
【００３９】
アクセス処理部５５は、画像処理装置１０の設定情報を記憶する記憶部８への無線通信装置２０によるアクセス要求を受信した場合に、無線通信装置２０が使用している前記特定ネットワークに応じて、無線通信装置２０による記憶部８へのアクセスの許否を判断する。例えば、記憶部８に記憶される前記設定情報は、前記登録パスワードを含む。
【００４０】
例えば、アクセス処理部５５は、無線通信装置２０が使用している前記無線ネットワークが前記第１のＳＳＩＤで識別される前記特定ネットワークである場合に、無線通信装置２０による記憶部８へのアクセスを許可する。一方、アクセス処理部５５は、無線通信装置２０が使用している前記無線ネットワークが前記第１のＳＳＩＤで識別される前記特定ネットワークでない場合に、記憶部８へのアクセス権限がない旨を無線通信装置２０に通知する。
【００４１】
実行処理部５６は、無線通信装置２０から予め定められた特定ジョブの実行指示を受信した場合に、無線通信装置２０が使用している前記無線ネットワークに応じて前記特定ジョブを行うことが可能であるか否かを判断する。例えば、前記特定ジョブは、画像形成部３に印刷処理を行わせる印刷ジョブを含む。
【００４２】
例えば、実行処理部５６は、前記特定ジョブの実行指示を送信した無線通信装置２０が使用している前記無線ネットワークが前記第１のＳＳＩＤ又は前記第２のＳＳＩＤで識別される前記二つの無線ネットワークのいずれかである場合に、前記特定ジョブを行う。一方、実行処理部５６は、前記特定ジョブの実行指示を送信した無線通信装置２０が使用している前記無線ネットワークが前記第３のＳＳＩＤで識別される前記無線ネットワークである場合に、前記特定ジョブの実行権限がない旨を無線通信装置２０に通知する。
【００４３】
［第１通信処理］
以下、図３を参照しつつ、画像処理装置１０において制御部５により行われる第１通信処理の手順の一例について説明する。ここで、ステップＳ１１、Ｓ１２・・・は、制御部５により行われる処理手順（ステップ）の番号を表している。なお、制御部５は、操作表示部６におけるユーザーの設定操作により無線通信部７１の通信機能が有効と設定されている場合に前記第１通信処理を行う。
【００４４】
＜ステップＳ１１＞
まず、ステップＳ１１において、制御部５は、無線通信部７１に前記第１のＳＳＩＤ、前記第２のＳＳＩＤ、及び前記第３のＳＳＩＤに対応する前記複数のビーコン信号を発信させる。
【００４５】
＜ステップＳ１２＞
ステップＳ１２において、制御部５は、無線通信装置２０から複数のＳＳＩＤのいずれかを指定した接続要求を受信したか否かを判断する。
【００４６】
ここで、制御部５は、無線通信装置２０から複数のＳＳＩＤのいずれかを指定した接続要求を受信したと判断すると（Ｓ１２のＹｅｓ側）、処理をステップＳ１３に移行させる。また、制御部５は、無線通信装置２０から複数のＳＳＩＤのいずれかを指定した接続要求を受信していないと判断すると（Ｓ１２のＮｏ側）、ステップＳ１２で無線通信装置２０からの複数のＳＳＩＤのいずれかを指定した接続要求の受信を待ち受ける。ここで、ステップＳ１１及びステップＳ１２の処理は、制御部５の待受処理部５１により行われるされる。
【００４７】
＜ステップＳ１３＞
ステップＳ１３において、制御部５は、ステップＳ１２で受信した接続要求で指定された前記無線ネットワークが前記特定ネットワークであるか否かを判断する。
【００４８】
ここで、制御部５は、ステップＳ１２で受信した接続要求で指定された前記無線ネットワークが前記特定ネットワークであると判断すると（Ｓ１３のＹｅｓ側）、処理をステップＳ１４に移行させる。また、制御部５は、ステップＳ１２で受信した接続要求で指定された前記無線ネットワークが前記特定ネットワークでないと判断すると（Ｓ１３のＮｏ側）、処理をステップＳ１６に移行させる。
【００４９】
＜ステップＳ１４＞
ステップＳ１４において、制御部５は、ステップＳ１２で制御部５が受信した接続要求を送信した無線通信装置２０に対して、前記パスワードの送信指示を送信する。
【００５０】
＜ステップＳ１５＞
ステップＳ１５において、制御部５は、ステップＳ１４で送信された前記パスワードの送信指示に応じて無線通信装置２０から送信される前記パスワードが、ステップＳ１２で受信した接続要求で指定された前記特定ネットワークについての前記登録パスワードと一致するか否かを判断する。ここで、ステップＳ１３、ステップＳ１４及びステップＳ１５の処理は、制御部５の判断処理部５２により行われる。
【００５１】
ここで、制御部５は、無線通信装置２０から送信される前記パスワードが前記登録パスワードと一致すると判断すると（Ｓ１５のＹｅｓ側）、処理をステップＳ１６に移行させる。また、制御部５は、無線通信装置２０から送信される前記パスワードが前記登録パスワードと一致しないと判断すると（Ｓ１５のＮｏ側）、処理をステップＳ１５１に移行させる。
【００５２】
＜ステップＳ１５１＞
ステップＳ１５１において、制御部５は、ステップＳ１２で制御部５が受信した接続要求を送信した無線通信装置２０に対して、前記接続要求で指定された前記特定ネットワークへの接続権限がない旨を通知する。ここで、ステップＳ１５１の処理は、制御部５の第１通信処理部５３により行われる。
【００５３】
＜ステップＳ１６＞
ステップＳ１６において、制御部５は、ステップＳ１２で受信した接続要求に応じて無線通信装置２０と画像処理装置１０との間の通信接続を確立させる。ここで、ステップＳ１６の処理が、本発明における第１ステップの一例であって、制御部５の第１通信処理部５３により行われる。
【００５４】
なお、ステップＳ１４及びステップＳ１５の処理に替えて、制御部５が無線通信装置２０から送信される前記装置識別情報が予め前記特定ネットワークごとに登録された前記装置識別情報と一致するか否かを判断してもよい。また、ステップＳ１１で無線通信部７１に前記複数のビーコン信号のうち、前記第３のＳＳＩＤに対応するビーコン信号のみ発信させて、ステップＳ１３、ステップＳ１４、ステップＳ１５、及びステップＳ１５１の処理を省略することも考えられる。
【００５５】
［第２通信処理］
以下、図４を参照しつつ、画像処理装置１０において制御部５により行われる第２通信処理の手順の一例について説明する。なお、制御部５は、前記第１通信処理によって画像処理装置１０との間の通信接続が確立された無線通信装置２０が存在する場合に、前記第２通信処理を行う。
【００５６】
＜ステップＳ２１＞
まず、ステップＳ２１において、制御部５は、画像処理装置１０を経由した通信機器４０との間の接続要求を無線通信装置２０から受信したか否かを判断する。
【００５７】
ここで、制御部５は、画像処理装置１０を経由した通信機器４０との間の接続要求を無線通信装置２０から受信したと判断すると（Ｓ２１のＹｅｓ側）、処理をステップＳ２２に移行させる。また、制御部５は、画像処理装置１０を経由した通信機器４０との間の接続要求を無線通信装置２０から受信していないと判断すると（Ｓ２１のＮｏ側）、ステップＳ２１で画像処理装置１０を経由した通信機器４０との間の接続要求の受信を待ち受ける。
【００５８】
＜ステップＳ２２＞
ステップＳ２２において、制御部５は、ステップＳ２１で制御部５が受信した接続要求を送信した無線通信装置２０が使用している前記無線ネットワークが前記特定ネットワークであるか否かを判断する。
【００５９】
例えば、制御部５は、前記第１通信処理のステップＳ１６で無線通信装置２０と画像処理装置１０との間の通信接続を確立させる場合に、無線通信装置２０の前記装置識別情報を前記無線ネットワークごとに設定された前記ＲＡＭの記憶領域に記憶させる。そして、制御部５は、無線通信装置２０から接続要求と共に送信される前記装置識別情報と前記記憶領域各々に記憶されている前記装置識別情報とを照合することで、無線通信装置２０が使用している前記無線ネットワークを特定する。
【００６０】
ここで、制御部５は、無線通信装置２０が使用している前記無線ネットワークが前記特定ネットワークであると判断すると（Ｓ２２のＹｅｓ側）、処理をステップＳ２３に移行させる。また、制御部５は、無線通信装置２０が使用している前記無線ネットワークが前記特定ネットワークでないと判断すると（Ｓ２２のＮｏ側）、処理をステップＳ２２１に移行させる。
【００６１】
＜ステップＳ２２１＞
ステップＳ２２１において、制御部５は、ステップＳ２１で制御部５が受信した接続要求を送信した無線通信装置２０に対して、通信ネットワーク３０にアクセスする権限がない旨を通知する。ここで、ステップＳ２１、ステップＳ２２、及びステップＳ２２１の処理は、制御部５の第２通信処理部５４により行われる。
【００６２】
＜ステップＳ２３＞
ステップＳ２３において、制御部５は、無線通信装置２０と通信機器４０との間の通信接続の確立を許可する。例えば、制御部５は、有線通信部７２を使用して無線通信装置２０から送信されるパケットデータを通信機器４０に転送する。ここで、ステップＳ２３の処理が、本発明における第２ステップの一例であって、制御部５の第２通信処理部５４により行われる。
【００６３】
［アクセス許可処理］
以下、図５を参照しつつ、画像処理装置１０において制御部５により行われるアクセス許可処理の手順の一例について説明する。なお、制御部５は、前記第１通信処理によって画像処理装置１０との間の通信接続が確立された無線通信装置２０が存在する場合に、前記アクセス許可処理を行う。即ち、前記アクセス許可処理は、前記第２通信処理と並行して行われる。
【００６４】
＜ステップＳ３１＞
まず、ステップＳ３１において、制御部５は、無線通信装置２０から記憶部８へのアクセス要求を受信したか否かを判断する。
【００６５】
ここで、制御部５は、無線通信装置２０から記憶部８へのアクセス要求を受信したと判断すると（Ｓ３１のＹｅｓ側）、処理をステップＳ３２に移行させる。また、制御部５は、無線通信装置２０から記憶部８へのアクセス要求を受信していないと判断すると（Ｓ３１のＮｏ側）、ステップＳ３１で無線通信装置２０からの記憶部８へのアクセス要求の受信を待ち受ける。
【００６６】
＜ステップＳ３２＞
ステップＳ３２において、制御部５は、ステップＳ３１で制御部５が受信したアクセス要求を送信した無線通信装置２０が使用している前記無線ネットワークが前記第１のＳＳＩＤで識別される前記特定ネットワークであるか否かを判断する。例えば、制御部５は、無線通信装置２０からアクセス要求と共に送信される前記装置識別情報と前記記憶領域各々に記憶されている前記装置識別情報とを照合することで、無線通信装置２０が使用している前記無線ネットワークを特定する。
【００６７】
ここで、制御部５は、無線通信装置２０が使用している前記無線ネットワークが前記第１のＳＳＩＤで識別される前記特定ネットワークであると判断すると（Ｓ３２のＹｅｓ側）、処理をステップＳ３３に移行させる。また、制御部５は、無線通信装置２０が使用している前記無線ネットワークが前記第１のＳＳＩＤで識別される前記特定ネットワークでないと判断すると（Ｓ３２のＮｏ側）、処理をステップＳ３２１に移行させる。
【００６８】
＜ステップＳ３２１＞
ステップＳ３２１において、制御部５は、ステップＳ３１で制御部５が受信したアクセス要求を送信した無線通信装置２０に対して、記憶部８へのアクセス権限がない旨を通知する。
【００６９】
＜ステップＳ３３＞
ステップＳ３３において、制御部５は、ステップＳ３１で制御部５が受信したアクセス要求を送信した無線通信装置２０に対して、無線通信装置２０による記憶部８へのアクセスを許可する。ここで、ステップＳ３１、ステップＳ３２、及びステップＳ３３の処理は、制御部５のアクセス処理部５５により行われる。これにより、無線通信装置２０が使用する前記無線ネットワークごとに、記憶部８に記憶されている前記設定情報の変更権限を設定することが可能である。
【００７０】
［ジョブ実行処理］
以下、図６を参照しつつ、画像処理装置１０において制御部５により行われるジョブ実行処理の手順の一例について説明する。なお、制御部５は、前記第１通信処理によって画像処理装置１０との間の通信接続が確立された無線通信装置２０が存在する場合に、前記ジョブ実行処理を行う。即ち、前記ジョブ実行処理は、前記第２通信処理及び前記アクセス許可処理と並行して行われる。
【００７１】
＜ステップＳ４１＞
まず、ステップＳ４１において、制御部５は、無線通信装置２０からジョブの実行指示を受信したか否かを判断する。
【００７２】
ここで、制御部５は、無線通信装置２０からジョブの実行指示を受信したと判断すると（Ｓ４１のＹｅｓ側）、処理をステップＳ４２に移行させる。また、制御部５は、無線通信装置２０からジョブの実行指示を受信していないと判断すると（Ｓ４１のＮｏ側）、ステップＳ４１で無線通信装置２０からのジョブの実行指示の受信を待ち受ける。
【００７３】
＜ステップＳ４２＞
ステップＳ４２において、制御部５は、ステップＳ４１で制御部５が受信したジョブの実行指示において実行が指示されたジョブが前記特定ジョブであるか否かを判断する。
【００７４】
ここで、制御部５は、実行が指示されたジョブが前記特定ジョブであると判断すると（Ｓ４２のＹｅｓ側）、処理をステップＳ４３に移行させる。また、制御部５は、実行が指示されたジョブが前記特定ジョブでないと判断すると（Ｓ４２のＮｏ側）、処理をステップＳ４４に移行させる。
【００７５】
＜ステップＳ４３＞
ステップＳ４３において、制御部５は、ステップＳ４１で制御部５が受信したジョブの実行指示を送信した無線通信装置２０が使用している前記無線ネットワークが前記特定ネットワークであるか否かを判断する。例えば、制御部５は、無線通信装置２０からジョブの実行指示と共に送信される前記装置識別情報と前記記憶領域各々に記憶されている前記装置識別情報とを照合することで、無線通信装置２０が使用している前記無線ネットワークを特定する。
【００７６】
ここで、制御部５は、無線通信装置２０が使用している前記無線ネットワークが前記特定ネットワークであると判断すると（Ｓ４３のＹｅｓ側）、処理をステップＳ４４に移行させる。また、制御部５は、無線通信装置２０が使用している前記無線ネットワークが前記特定ネットワークでないと判断すると（Ｓ４３のＮｏ側）、処理をステップＳ４３１に移行させる。
【００７７】
＜ステップＳ４３１＞
ステップＳ４３１において、制御部５は、ステップＳ４１で受信したジョブの実行指示を送信した無線通信装置２０に対して、前記特定ジョブの実行権限がない旨を通知する。
【００７８】
＜ステップＳ４４＞
ステップＳ４４において、制御部５は、ステップＳ４１で制御部５が受信したジョブの実行指示に応じてジョブを行う。ここで、ステップＳ４１、ステップＳ４２、ステップＳ４３、及びステップＳ４４の処理は、制御部５の実行処理部５６により行われる。これにより、無線通信装置２０が使用する前記無線ネットワークごとに、無線通信装置２０が実行可能なジョブを設定することが可能である。
【００７９】
このように、前記第１通信処理では、前記複数の無線ネットワークのうち前記特定ネットワークを経由した接続要求が無線通信装置２０から送信された場合に、無線通信装置２０における前記特定ネットワークへの接続権限の有無に応じて、無線通信装置２０と画像処理装置１０との間の通信接続の確立の許否が判断される。また、前記第２通信処理では、画像処理装置１０を経由した通信機器４０との間の接続要求が無線通信装置２０から送信された場合に、無線通信装置２０が使用している前記無線ネットワークが前記特定ネットワークであるか否かに応じて、無線通信装置２０と通信機器４０との間の通信接続の確立の許否が判断される。これにより、画像処理装置１０に接続される通信ネットワーク３０のセキュリティーが維持されると共に、画像処理装置１０との間で無線通信を行う無線通信装置２０の利便性が向上する。
【図１】
0006477862.tif 000002
【図２】
0006477862.tif 000003
【図３】
0006477862.tif 000004
【図４】
0006477862.tif 000005
【図５】
0006477862.tif 000006
【図６】
0006477862.tif 000007